(57)【要約】【課題】稼働率低下を的確に検出して有効な処置の実施により高い稼動率を維持できるパチンコ機の稼働率演算装置を提供する。【解決手段】パチンコ玉をパチンコ機の盤面に向けて投入するための電動ハンドル１１の稼働時間を測定する稼働時間測定手段３４２と、前記電動ハンドルの稼働により前記盤面に投入されたパチンコ玉の入玉数を計数する入玉数計数手段３４３と、前記稼働時間測定手段３４２によって測定された電動ハンドル１１の稼働時間と、前記入玉数計数手段３４３によって計数されたパチンコ玉の入玉数とに基づいて、単位時間当たりの入玉数つまり稼働率を演算する演算手段４１を備える。【選択図】        図４
2004351160.tif 000002
【特許請求の範囲】
【請求項１】
パチンコ玉をパチンコ機の盤面に向けて投入するための電動ハンドルの稼働時間を測定する稼働時間測定手段と、
前記電動ハンドルの稼働により前記盤面に投入されたパチンコ玉の入玉数を計数する入玉数計数手段と、
前記稼働時間測定手段によって測定された電動ハンドルの稼働時間と、前記入玉数計数手段によって計数されたパチンコ玉の入玉数とに基づいて、単位時間当たりの入玉数を演算する演算手段と、
を備えたことを特徴とするパチンコ機の稼働率演算装置。
【請求項２】
前記演算手段によって演算された単位時間当たりの入玉数を表示する表示手段をさらに備えている請求項１に記載のパチンコ台の稼働率演算装置。
【請求項３】
前記表示手段は、パチンコ機毎にパチンコ機本体とは別体で設けられパチンコ機の作動状況を表示する表示装置に設けられている請求項２に記載のパチンコ機の稼働率演算装置。
【請求項４】
前記演算手段によって演算された単位時間当たりの入玉数が設定個数を下回ったか否かを判定する稼働率判定手段と、
前記稼働率判定手段により、単位時間当たりの入玉数が設定個数を下回ったことが判定された場合には、稼働率が低下していることを表示する表示手段と、
をさらに備えている請求項１に記載のパチンコ機の稼働率演算装置。
【請求項５】
前記表示手段は、パチンコ機毎にパチンコ機本体とは別体で設けられパチンコ機の作動状況を表示する表示装置のランプで構成されている請求項４に記載のパチンコ機の稼働率演算装置。
【請求項６】
パチンコ玉をパチンコ機の盤面に向けて投入するための電動ハンドルの稼働時間を測定し、稼働時間測定信号を出力する稼働時間測定手段と、
前記電動ハンドルの稼働により前記盤面に投入されたパチンコ玉の入玉数を計数して入玉数計数信号を出力する入玉数計数手段と、
を備えたことを特徴とするパチンコ機の稼働率演算用信号ユニット。
【請求項７】
電動ハンドルによるパチンコ玉打球動作時の電流変化に基づいて、電動ハンドルによるパチンコ玉打球動作を計数する打球動作計数手段をさらに備えている請求項６に記載のパチンコ機の稼働率演算用信号ユニット。
【請求項８】
パチンコ玉をパチンコ機の盤面に向けて投入するための電動ハンドルの稼働時間と、前記電動ハンドルの稼働により前記盤面に投入されたパチンコ玉の入玉数とに基づいて、単位時間当たりの入玉数を演算する演算手段が、パチンコ機毎にパチンコ機本体とは別体で設けられパチンコ機の作動状況を表示する表示装置に設けられていることを特徴とするパチンコ機の稼働率演算装置。
【請求項９】
パチンコ玉をパチンコ機の盤面に向けて投入するための電動ハンドルの一定期間の累積稼働時間を演算する稼働時間演算手段と、
前記電動ハンドルの稼働により前記盤面に投入されたパチンコ玉の一定期間の累積入玉数を演算する入玉数演算手段と、
前記稼働時間演算手段によって演算された電動ハンドルの累積稼働時間と、前記入玉数演算手段によって演算されたパチンコ玉の累積入玉数とに基づいて、単位時間当たりの入玉数を演算する稼働率演算手段と、
を備えたことを特徴とするパチンコ機の稼働率演算装置。
【請求項１０】
パチンコ玉をパチンコ機の盤面に向けて投入するための電動ハンドルと、
この電動ハンドルの稼働時間を測定するための稼働時間測定用信号の出力部と、
を備えたことを特徴とするパチンコ機。
【発明の詳細な説明】
【０００１】
【発明の属する技術分野】
この発明は、電動ハンドルによりパチンコ玉を発射させる電動ハンドル式パチンコ機の稼働率演算装置、並びにパチンコ機に関する。
【０００２】
【従来の技術】
一般に、パチンコホールでは、電動ハンドル式パチンコ機の盤面に投入されたパチンコ玉をアウトタンクにガイドする回収通路を通過するパチンコ玉が、例えば１０個に達すると１パルスを生起させ、このパルス数からのパチンコ玉回収データをホールカウンタ側のコンピュータに入力して種々の管理を行っている。
【０００３】
例えば、前記パルスの数を計数して、１日当たりのパチンコ機の稼働時間を把握したりしている。
【０００４】
ところで、電動ハンドル式パチンコ機では、遊技者が電動ハンドルを操作すると、それに応動するモータが発射用ばねを駆動し、このばねのばね力でパチンコ玉が盤面内に向けて発射投入されるようになっている。そして、そのパチンコ機の稼働率は、前記盤面に投入されてアウトタンクに回収されるパチンコ玉の単位時間当たりの回収個数で表わされ、工場出荷時においては、単位時間当たり法的に定められた個数以下（例えば１００個以下／１分間）になるように調整されている。
【０００５】
【発明が解決しようとする課題】
しかし、前記発射用のばねが径年変化などにより劣化すると、パチンコ玉の発射位置から盤面内に入るまでの飛距離不足が起き、発射されたパチンコ玉が盤面内に届かずに、発射用バネ側に戻され、前記稼働率が低下する。また、パチンコ玉の発射位置から盤面内に入るまでのガイド通路に塵埃などが溜まっていてパチンコ玉の通過障害が発生した場合にも、単位時間当たりの回収個数が少なくなり、稼働率が低下する。さらには、電圧変動の影響を受けて、ばねを駆動するモータに影響を与えて、稼働率が低下することもある。
【０００６】
しかるに従来では、前述のように、電動ハンドルで盤面内に発射投入されたパチンコ玉の１０個毎に出力されたパルスを処理するのみであり、これでは１００個／１分の稼働率に設定されていたものが、１００個／２分に稼働率が低下した場合であっても、前記パルスを１０個計数した時点で、これを１分と計算してしまうものであった。
【０００７】
このため、従来の電動ハンドル式のパチンコ機では、上記のように稼働率が低下していても、定期点検の時までは前記発射用のばねなどを交換することなく、そのまま稼働させているのが現状であった。
【０００８】
この発明は、上記実情に鑑みてなされたものであり、パチンコ機の不具合による稼働率低下を的確に把握して、適正時期での点検により高い稼働率を維持できるパチンコ機の稼働率演算装置、及びこの演算装置に好適に用いることができる稼働率演算用信号ユニット並びにパチンコ機を提供することを課題とする。
【０００９】
【課題を解決するための手段】
上記課題は、パチンコ玉をパチンコ機の盤面に向けて投入するための電動ハンドルの稼働時間を測定する稼働時間測定手段と、前記電動ハンドルの稼働により前記盤面に投入されたパチンコ玉の入玉数を計数する入玉数計数手段と、前記稼働時間測定手段によって測定された電動ハンドルの稼働時間と、前記入玉数計数手段によって計数されたパチンコ玉の入玉数とに基づいて、単位時間当たりの入玉数を演算する演算手段と、を備えていることを特徴とするパチンコ機の稼働率演算装置によって解決される。
【００１０】
このパチンコ機における稼働率演算装置では、遊技者が電動ハンドルを操作してパチンコ玉を発射させている間、前記電動ハンドルの稼働時間が、稼働時間測定手段で測定される。一方、電動ハンドルの稼働により前記盤面に投入されたパチンコ玉の入玉数が、入玉数計数手段によって計数される。そして、測定され電動ハンドルの稼働時間と計数されたパチンコ玉の入玉数とに基づいて、単位時間当たりの入玉数、つまり稼働率が演算手段で演算される。
【００１１】
つまり、電動ハンドルの実際の稼働時間とパチンコ機に投入された実際の入玉数とに基づいて、正確な稼働率が演算されるから、この稼働率を把握することにより、稼働率の低下要因としてのパチンコ玉発射用ばねの劣化等を的確に把握でき、パチンコ機の適正な時期での点検が可能となる。
【００１２】
前記パチンコ機の可動装置において、前記演算手段によって演算された単位時間当たりの入玉数を表示する表示手段をさらに備えている構成としても良い。
【００１３】
この場合には、パチンコ機の正確な稼働率の把握が可能となる。
【００１４】
また、前記表示手段は、パチンコ機毎にパチンコ機本体とは別体で設けられパチンコ機の作動状況を表示する表示装置に設けられていても良い。
【００１５】
この場合には、パチンコ機の作動状況を表示する表示装置に、前記稼働率を表示させることができ、店員が稼働率の低下したパチンコ機を直ぐに確認可能となる。
【００１６】
また、前記演算手段によって演算された単位時間当たりの入玉数が設定個数を下回ったか否かを判定する稼働率判定手段と、前記稼働率判定手段により、単位時間当たりの入玉数が設定個数を下回ったことが判定された場合には、稼働率が低下していることを表示する表示手段と、をさらに備えている構成としても良い。
【００１７】
この場合には、演算された単位時間当たりの入玉数が設定個数を下回ったか否か、換言すれば稼働率が設定値を下回ったか否かが稼働率判定手段で判定され、単位時間当たりの入玉数が設定個数を下回ったことが判定された場合には、稼働率が低下していることが表示手段に表示される。このように、稼働率の低下が表示手段に表示されるから、稼働率が低下したパチンコ機を容易に特定することができる。
【００１８】
この場合、前記表示手段は、パチンコ機毎にパチンコ機本体とは別体で設けられパチンコ機の作動状況を表示する表示装置のランプで構成されている構成としても良い。これにより、店員が稼働率の低下したパチンコ機を直ぐに確認可能となるとともに、ランプの兼用により、稼働率低下表示のための特別な表示手段を新たに設ける必要はなくなる。
【００１９】
また、この発明に係るパチンコ機の稼働率演算用信号ユニットは、パチンコ玉をパチンコ機の盤面に向けて投入するための電動ハンドルの稼働時間を測定し、稼働時間測定信号を出力する稼働時間測定手段と、前記電動ハンドルの稼働により前記盤面に投入されたパチンコ玉の入玉数を計数して入玉数計数信号を出力する入玉数計数手段と、を備えたことを特徴とする。
【００２０】
このパチンコ機の稼働率演算用信号ユニットを用いることにより、稼働率の演算を容易に行うことができる。
【００２１】
このパチンコ機の稼働率演算用信号ユニットにおいては、電動ハンドルによるパチンコ玉打球動作時の電流変化に基づいて、電動ハンドルによるパチンコ玉打球動作を計数する打球動作計数手段をさらに備えていても良い。
【００２２】
これにより、電動ハンドルによるパチンコ玉打球動作の回数と、実際の入玉数との比較により、パチンコ機の不正使用等を把握することができる。
【００２３】
また、パチンコ玉をパチンコ機の盤面に向けて投入するための電動ハンドルの稼働時間と、前記電動ハンドルの稼働により前記盤面に投入されたパチンコ玉の入玉数とに基づいて、単位時間当たりの入玉数を演算する演算手段が、パチンコ機毎にパチンコ機本体とは別体で設けられパチンコ機の作動状況を表示する表示装置に設けられていることを特徴とするパチンコ機の稼働率演算装置としても良い。
【００２４】
この稼働率演算装置では、パチンコ機の作動状況を表示する表示装置により、稼働率を演算することができる。
【００２５】
また、パチンコ玉をパチンコ機の盤面に向けて投入するための電動ハンドルの一定期間の累積稼働時間を演算する稼働時間演算手段と、前記電動ハンドルの稼働により前記盤面に投入されたパチンコ玉の一定期間の累積入玉数を演算する入玉数演算手段と、前記稼働時間演算手段によって演算された電動ハンドルの累積稼働時間と、前記入玉数演算手段によって演算されたパチンコ玉の累積入玉数とに基づいて、単位時間当たりの入玉数を演算する稼働率演算手段と、を備えたことを特徴とするパチンコ機の稼働率演算装置としても良い。
【００２６】
この稼働率演算装置によっても、稼働率を演算することができる。
【００２７】
また、この発明に係るパチンコ機は、パチンコ玉をパチンコ機の盤面に向けて投入するための電動ハンドルと、この電動ハンドルの稼働時間を測定するための稼働時間測定用信号の出力部と、を備えたことを特徴とする。
【００２８】
このパチンコ機によれば、電動ハンドルの稼働時間を測定するための稼働時間測定用信号の出力部が備えられているから、この出力部からの稼働時間測定用信号を利用して、パチンコ機の稼働率を演算することができる。
【００２９】
【発明の実施の形態】
以下、この発明の一実施形態を図面に基づいて説明する。
【００３０】
図１は、この発明の一実施形態に係るパチンコ機の稼働率演算装置が適用されるパチンコホールを示す概略構成図である。
【００３１】
図１において、パチンコホールＨには、互いに並設された複数の電動ハンドル式のパチンコ機１およびカウンタＨＣなどが配置されている。
【００３２】
複数のパチンコ機１は、各列毎に「島」Ｓとして構成されている。カウンタＨＣは、各パチンコ機１についての各種データを管理するホール用コンピュータＨＰＣなどを備えており、営業時間外にパチンコ機１の点検を行う際には、パチンコ機１を「島」Ｓ単位で「点検モード」に切り換えることができるようになっている。
【００３３】
図２は、電動ハンドル式のパチンコ機を示す正面図である。
【００３４】
図２において、１はパチンコ機、２は呼出表示装置である。
【００３５】
前記パチンコ機１の下部には、電動ハンドル１１などが設けられている。
【００３６】
電動ハンドル１１は、遊技者がパチンコ玉６０の発射操作を行うためのものであり、図３に示すように、パチンコ機１内に設置されているモータ１３により発射ばね（図示せず）が駆動され、この発射ばねのばね力でパチンコ玉６０が発射され、ガイド１９に案内されて矢印ａ方向の玉道軌跡に沿って盤面１５内に投入される。
【００３７】
前記パチンコ機１の上部には、多数の釘１４が配設された盤面１５が配備されており、この盤面１５には、周知の大当たり用の表示体１６のほかに、適所に複数のスタート孔１７が配置されている。このスタート孔１７にパチンコ玉６０が入ると、スタート入力が生じて表示体１６のデジタル数字が一定時間連続的に変化したのち停止し、停止時の数字が予め決められている大当たり表示に合致すれば大当たりとなる。
【００３８】
前記盤面１５の下端には、盤面１５を通過（落下）したパチンコ玉（アウト玉）Ｍの回収口１８が設けられており、この回収口１８を経たパチンコ玉６０は、図３に示すように、回収通路３１に案内されてアウトタンク３２に回収されるようになっている。
【００３９】
前記呼出表示装置２は、パチンコ機１の作動状況を表示するものであって、パチンコ機１の上方においてパチンコ機１とは別体で設けられたものであり、幅方向中央に位置して配置された表示パネル２１と、表示パネル２１の両側に設けられたランプ２２，２２とを備えている。
【００４０】
前記表示パネル２１には、パチンコ機１の大当たり回数や稼働率を文字表示するための表示部２１ａが設けられるとともに、遊技者がトラブル時等に店員を呼び出すための呼び出しスイッチ２１ｂなどが設けられている。
【００４１】
前記ランプ２２は、例えば大当たり時に点滅表示するほかに、呼び出しスイッチ２１ｂが押されたときには点灯する呼び出しランプとしても機能する。さらに、この実施形態では、パチンコ機１が「点検モード」に切り換えられた際に、そのパチンコ機１の稼働率が設定値を下回ったと判定されると、それを点灯ないしは点滅表示にて報知する稼働率低下表示手段も兼務している。
【００４２】
図３は、前記盤面１５を通過したパチンコ玉６０の回収系統を示す概略構成図である。
【００４３】
図３において、前記電動ハンドル１１には、その操作に応動するモータ１３が設けられており、このモータ１３には、駆動時の電流を検出するための電流センサ３３がセットされている。前記モータ１３が駆動されているとき、換言すれば遊技者の操作により電動ハンドル１１が稼働状態にあるときには、前記モータ１３には駆動電流が流れることから、電流センサ３３はこのモータ駆動電流が流れたことを検出する。
【００４４】
３４は稼働率演算用信号ユニットであり、稼働時間測定部３４１と、打球動作計数部３４２と、入玉数計数部３４３とを備えている。
【００４５】
前記稼働時間測定部３４１は、前記電流センサ３３による電流検出信号を受けて電動ハンドル１１の稼働時間を測定し、稼働時間測定信号を出力するものである。この実施形態では、電動ハンドル１１の稼働時間が６０秒（１分）に達する毎に、１パルスの稼働時間測定信号を出力するものとなされている。
【００４６】
打球動作計数部３４２は、電動ハンドル１１がバネをはじくことによるパチンコ玉打球動作時のモータ１３の負荷変動に伴う電流変化に基づいて、パチンコ玉打球動作を検出し計数して、例えば１０回の打球動作毎に１パルスの打球動作計数信号を出力するものである。
【００４７】
前記入玉数計数部３４３は、電動ハンドル１１の稼働により前記盤面に投入されたパチンコ玉の入玉数を計数して入玉数計数信号を出力するものである。入玉数の計数は、センサ３５に基づいて行われる。
【００４８】
即ち、前記回収口１８からのパチンコ玉６０をアウトタンク３２にガイドする回収通路３１には、前記アウトタンク３２に回収されるパチンコ玉６０の個数を検知するためにセンサ３５が設けられている。このセンサ３５は、例えばリミットスイッチなどの接触式センサあるいは磁気センサなどの非接触式センサ等からなり、回収通路３１をパチンコ玉６０が通過する毎にスイッチ信号を発生するようになっている。
【００４９】
そして、前記入玉数計数部３４３は、パチンコ玉が通過する毎にセンサ３５から出力されるスイッチ信号をカウントする。この実施形態では、入玉数計数部３４３は、センサ３５から出力されるスイッチ信号が１０個に到達する毎に、つまり電動ハンドル１１から盤面１５内に投入されたパチンコ玉１０個毎に、１パルスの入玉数計数信号を出力するものとなされている。
【００５０】
前記稼働率演算用信号ユニット３４の稼働時間測定部３４１から出力される稼働時間測定信号、及び打球動作計数部３４２からの打球動作計数信号、入玉数計数部３４３からの入玉数計数信号は、呼出表示装置２の制御部に入力されるものとなされている。
【００５１】
図４は、前記呼出表示装置２の電気的構成を示すブロック図である。
【００５２】
図４において、呼出表示装置２は、ＣＰＵ４１、ＲＡＭ５１およびＲＯＭ５２などからなる制御部４０を有し、ＣＰＵ４１に接続されたバス５３には、前記稼働率演算用信号ユニット３４からの各信号が、入力インターフェース（入力Ｉ／Ｆ）部５４を介して入力されるものとなされている。
【００５３】
なお、５５はＣＰＵ４１による演算結果等を記憶する記憶部である。また、２１ａは前述した表示部、２１ｂは呼び出しスイッチ、２２はランプである。
【００５４】
前記ＣＰＵ４１は、呼出表示装置２の全体動作を統括制御するとともに、前記稼働率演算用信号ユニット３４の稼働時間測定部３４１から６０秒ごとに出力される稼働時間測定信号を順次計数して、そのパチンコ機１の電動ハンドル１１の一定期間例えば１日の累積稼働時間や、入玉数計数部３４３から入玉数の１０個毎に出力される入玉数計数信号を順次計数して、そのパチンコ機１の一定期間例えば１日の累積入玉数を演算したり、同様に、打球動作計数部３４２から出力される打球動作計数信号を順次計数する。なお、これらの演算結果は、記憶部５５に記憶される。
【００５５】
さらに、前記ＣＰＵ４１は、前記電動ハンドル１１の前記累積稼働時間と累積入玉数とに基づいて、単位時間（１分）当たりの入玉数即ち稼働率を演算する演算部４２としての機能や、演算された稼働率が設定値を下回ったか否かを判定し、稼働率が設定値を下回ると当該パチンコ機１の稼働率が低下したものと判定して、ランプ２２を点灯させるようになっている。
【００５６】
なお、この実施形態では、前記稼働率の判定やその結果の表示、あるいは稼働率そのものの表示は、営業時間終了後にパチンコ機１を「島」Ｓ単位で「点検モード」に切り換えたときに、行われるようになっている。
【００５７】
さらにＣＰＵ４１は、前記電動ハンドル１１による打球動作回数と実際の入玉数とを比較して、その差が所定値以上に大きい場合には、これをランプ２２あるいは表示部２１ａに表示させるものとなされている。
【００５８】
前記ＲＡＭ５１は、ＣＰＵ４１の作業領域を構成するものであり、また、ＲＯＭ５２は、パチンコ機１の動作プログラムや稼働率の演算処理や判定処理のプログラムを記憶するものである。
【００５９】
上記構成において、遊技者が電動ハンドル１１を操作すると、電動ハンドル１１に応動するモータ１３起動される。この時、モータ１３の電流が電流センサ３３により検出され、この検出信号を受けた稼働率演算用信号ユニット３４の稼働時間測定部３４１で、電動ハンドル１１の稼働時間が測定され、稼働時間の６０秒毎に稼働時間測定部３４１から稼働時間測定信号が出力される。
【００６０】
また、前記モータ１３によるばね駆動時の負荷変動が電流センサ３３により検出されて、打球動作計数部３４２によりバネの打球動作回数が計数され、打球動作計数部３４２は打球動作計数信号を出力する。
【００６１】
一方、前記モータ１３によりばねが駆動されることにより、パチンコ玉６０が盤面１５内に向けて発射投入される。投入されたパチンコ玉は、盤面１５の上方から釘１４の障害を受けながら自重落下し、直接、あるいはスタート孔１７などを経て回収口１８に至る。
【００６２】
回収口１８からのパチンコ玉６０は、回収通路３１を経てアウトタンク３２に回収される。この回収通路３１を通る際のパチンコ玉６０がセンサ３５により検出され、センサ３５からスイッチ信号が発生し、このスイッチ信号が稼働率演算用信号ユニット３４の入玉数計数部３４３で計数され、入玉数１０個毎に入玉数計数信号が出力される。
【００６３】
前記稼働率演算用信号ユニット３４から出力される稼働時間測定信号、打球動作計数信号、入玉数計数信号は、呼出表示装置２の制御部４０のＣＰＵ４１に入力される。
【００６４】
ＣＰＵ４１は、各信号が入力される度に、これらを加算して、例えば電動ハンドル１１の１日の累積稼働時間、累積打球動作回数、累積入玉数を演算する。その結果は、その都度記憶部５５に記憶される。
【００６５】
パチンコホールの営業が終了してからカウンタＨＰＣ等によりパチンコ機１が「島」Ｓ単位で点検モードに切り換えられると、前記記憶部５３に記憶された電動ハンドル１１の累積稼働時間と累積入玉数とに基づいて、単位時間当たり（例えば１分）の入玉数即ちそのパチンコ機１の稼働率をＣＰＵ４１が演算し、その結果を設定値と比較する。
【００６６】
もし、稼働率が設定値を下回った場合には、ＣＰＵ４１は呼出表示装置２における呼び出しランプ２２を点灯ないしは点滅させる。
【００６７】
従って、従業員は、「島」Ｓ毎に呼び出しランプ２２の点灯もしくは点滅するパチンコ機１を把握することができ，該当するパチンコ機１の点検を速やかに行うことができる。例えば前記発射用ばねが劣化しておれば、そのばねの交換を行い、また、塵埃などが溜まって通路障害が生じていれば、それを除去してパチンコ玉６０の通過障害をなくす。つまり、稼働率が低下したパチンコ機１に対して時期を失することなく点検を行うことができ、異常な稼働率の低下を未然に防止することができる。
【００６８】
また、ＣＰＵ４１は、前記判定と同時に演算した稼働率を表示部２１ａに表示し、これにより従業員は実際の稼働率を確認することができる。
【００６９】
また、ＣＰＵ４１は、打球動作回数の累積値と入玉数の累積値とを比較し、打球動作回数の累積値が入玉数の累積値に対して異常に多い場合には、その旨をランプ２２あるいは表示部２１ａに表示する。これにより、従業員はパチンコ機の不正使用の有無を確認することができる。
【００７０】
ところで、上記構成では、稼働率の演算及び稼働率が低下したか否かの判定を呼出表示装置２で行うとともに、稼働率が低下した場合の表示あるいは稼働率そのものの表示を呼出表示装置２の呼出ランプ２２や表示部２１ｂで行うものとしたが、前記パチンコホールＰＨのカウンタＨＣ側で演算、判定、表示を行わせるものとしても良い。また、稼働率の演算、判定、表示を、営業時間内に逐次行い、稼働率が低下した時点で表示させるものとしても良い。
【００７１】
また、稼働率の低下をランプ２２等に視覚表示させるものに限らず、ブザーなどの聴覚的手段により表示させることも可能である。
【００７２】
また、稼働率演算用信号ユニット３４の稼働時間測定部３４１から、６０秒毎に稼働時間測定信号を出力し、入玉数計数部３４３からパチンコ玉１０個毎に入玉数計数信号を出力する構成としたが、１秒その他の時間間隔毎にあるいは１個その他の個数毎に信号を出力しても良い。
【００７３】
また、電流センサ３３やパチンコ玉検出センサ３５からの信号を、稼働率演算用信号ユニット３４に入力して、該稼働率演算用信号ユニット３４から稼働時間測定信号、打球動作計数信号、入玉数計数信号を出力する構成としたが、電流センサ３３やパチンコ玉検出センサ３５からの信号を、必要なら整流装置や増幅装置等を介して直接的に呼出表示装置２のＣＰＵ４１やカウンタＨＣのＨＰＣに入力して、これらで直接的に稼働時間、打球動作回数、入玉数を計数しても良い。
【００７４】
また、パチンコ機１に、稼働時間測定機能、入玉数計数機能、稼働率の演算機能や判定機能を設けるとともに、稼働率そのものや稼働率の低下を表示する表示手段も、パチンコ機１に設けても良い。
【００７５】
また、電動ハンドル１１の稼働時間の検出や入玉数の検出も、上記実施形態に限定されることはなく、電動ハンドル１１の稼働時間の検出や入玉数の検出を行いうる各種センサを用いればよい。
【００７６】
また、稼働率が低下したか否かの判定を行うことなく、稼働率のみを表示するものとしても良い。
【００７７】
図５はこの発明の他の実施形態を示すもので、電動ハンドル１１の稼働時間を測定するための稼働時間測定用信号の出力部を予め備えたパチンコ機１を示すものである。
【００７８】
なお、図５において、図２及び図３に示したパチンコ機と同一構成部分については同一の符号を付し説明を省略する。
【００７９】
図５において、７０は駆動モータ１３を制御する制御部であり、この制御部１３によるモータ１３の駆動信号を基に電動ハンドル１１の稼働信号を取り出し、これを出力端子（出力部）７１に出力させたものである。
【００８０】
このように、出力端子７１が予めパチンコ機１に設けられているから、このパチンコ機が設置されたパチンコホール等では、前記出力端子７１を利用することにより、稼働率の測定が容易となる。
【００８１】
なお、電動ハンドル１１の稼働信号は、制御部１３によるモータ１３の駆動信号を基に取り出すほかに、図３で説明したような電流センサ３３を予めパチンコ機に組み込んでおいても良いし、電動ハンドル１１の稼働時のハンマーの打撃回数等に基づいて出力させるようにしても良い。
【００８２】
また、電動ハンドル１１の稼働時間がわかるように、所定時間毎に例えば稼働時間が６０秒に達する毎にパルスを出力端子７１から出力する構成としても良い。
【００８３】
上記具体的実施形態には、以下の構成を有する発明が含まれている。
（１）パチンコ機毎にパチンコ機本体とは別体で設けられパチンコ機の作動状況を表示する表示装置であって、請求項９に記載のパチンコ機の稼働率演算装置を備えているパチンコ機の表示装置。
【００８４】
【発明の効果】
請求項１に係る発明によれば、電動ハンドルの実際の稼働時間とパチンコ機に投入された実際の入玉数とに基づいて、正確な稼働率が演算されるから、この稼働率を把握することにより、稼働率の低下要因としてのパチンコ玉発射用ばねの劣化等を的確に把握でき、パチンコ機の適正な時期での点検が可能となり、パチンコ機の効率的な稼働状態を常に維持することができる。
【００８５】
請求項２に係る発明によれば、前記演算手段によって演算された単位時間当たりの入玉数を表示する表示手段をさらに備えているから、パチンコ機の稼働率を容易に把握できる。
【００８６】
請求項３に係る発明によれば、パチンコ機の作動状況を表示する表示装置に、前記稼働率を表示させることができ、店員が稼働率の低下したパチンコ機を直ぐに確認可能となる。
【００８７】
請求項４に係る発明によれば、稼働率の低下が表示手段に表示されるから、稼働率が低下したパチンコ機を容易に特定することができる。
【００８８】
請求項５に係る発明によれば、店員が稼働率の低下したパチンコ機を直ぐに確認可能となるとともに、ランプの兼用により、稼働率低下表示のための特別な表示手段を新たに設ける必要はなくなる。
【００８９】
請求項６に係る発明によれば、稼働率演算用信号ユニットを用いることにより、稼働率の演算を容易に行うことができる。
【００９０】
請求項７に係る発明によれば、電動ハンドルによるパチンコ玉打球動作の回数と、実際の入玉数との比較により、パチンコ機の不正使用等を把握することができる。
【００９１】
請求項８に係る発明によれば、パチンコ機の作動状況を表示する表示装置により、稼働率を演算することができる。
【００９２】
請求項９に係る発明によれば、稼働率を確実に演算することができる。
【００９３】
請求項１０に係る発明によれば、電動ハンドルの稼働時間を測定するための稼働時間測定用信号の出力部を備えたパチンコ機であるから、前記出力部からの稼働時間測定用信号を利用して、パチンコ機の稼働率を容易に演算することができる。
【図面の簡単な説明】
【図１】図１は、この発明の一実施形態に係るパチンコ機の稼働率演算装置が適用されるパチンコホールの概略構成図である。
【図２】同じくパチンコ機と呼出表示装置を示す正面図である。
【図３】同じくパチンコ機におけるパチンコ玉回収系統を示す概略構成図である。
【図４】呼出表示装置の電気的構成を示すブロック図である。
【図５】この発明の他の実施形態に係るパチンコ機の概略構成図である。
【符号の説明】
１１・・・・・・・・電動ハンドル
１５・・・・・・・・盤面
２１ｂ・・・・・・・表示手段
２２・・・・・・・・表示手段（呼び出しランプ）
３１・・・・・・・・回収通路
３２・・・・・・・・アウトタンク
３４・・・・・・・・稼働率演算用信号ユニット
３４１・・・・・・・稼働時間測定部
３４２・・・・・・・打球動作計数部
３４３・・・・・・・入玉数計数部
４０・・・・・・・・制御部
４１・・・・・・・・ＣＰＵ（演算手段、判定手段、稼働率演算手段、稼働時間演算手段、入玉数演算手段）
１・・・・・・・・・パチンコ機
Ｂ・・・・・・・・・稼働率演算装置
６０・・・・・・・・パチンコ玉
７１・・・・・・・・出力端子（出力部）
【図１】
2004351160.tif 000003
【図２】
2004351160.tif 000004
【図３】
2004351160.tif 000005
【図４】
2004351160.tif 000006
【図５】
2004351160.tif 000007